(57)【特許請求の範囲】
【請求項１】
固定台上にスタッドボルトを固着し、同スタッドボルトに中空筒状の弾性ゴム体を装着し、同弾性ゴム体の上に圧縮機を載置し支持してなる圧縮機の防振支持装置において、
前記中空筒状の弾性ゴム体の内部に、空洞を形成し、同空洞と下端面とをスリットにより連通してなることを特徴とする圧縮機の防振支持装置。
【請求項２】
前記空洞を前記弾性ゴム体の全周に、部分的に不連続に形成してなることを特徴とする請求項１記載の圧縮機の防振支持装置。
【請求項３】
前記スリットが途中で、直角または鈍角に折れ曲がるように形成してなることを特徴とする請求項１乃至請求項２記載の圧縮機の防振支持装置。
【請求項４】
前記スリットが形成された弾性ゴム体の下端面のスリットの両側に凹または凸部を形成する一方、前記固定台の上面に、前記凹または凸部に対応する凸または凹部を形成してなることを特徴とする請求項１乃至請求項３記載の圧縮機の防振支持装置。
【請求項５】
前記凸部と凹部とが、前記弾性ゴム体の端面のスリットの両側の全周と、前記固定台の上面の全周とに形成されてなることを特徴とする請求項１乃至請求項４記載の圧縮機の防振支持装置。
【請求項６】
前記スリットの対向する面をお互いに溶着してなることを特徴とする請求項１乃至請求項５記載の圧縮機の防振支持装置。
【発明の詳細な説明】
【０００１】
【発明の属する技術分野】
本発明は、圧縮機の防振支持装置に係わり、より詳細には、被支持物を支持する弾性ゴム体の構成に関する。
【０００２】
【従来の技術】
従来の圧縮機の防振支持装置は、図１と図７とで示すように、薄板鋼板等の板金製の固定台１に、スタッドボルト６が固定台１の上面に向けて三本固着され、同スタッドボルト６に中空円筒状の弾性ゴム体２が三個挿着され、同弾性ゴム体２の上に、圧縮機３の三箇所の取付部３ｂを、同取付部３ｂに形成した取付穴３ｃを前記スタッドボルト６に嵌挿して載置し、取付ナット７を前記スタッドボルト６に螺着し、前記圧縮機３の取付部３ｂを前記弾性ゴム体２と前記取付ナット７で挟み込み固定してなる構成であった。
【０００３】
【発明が解決しようとする課題】
しかしながら、本構成では、圧縮機の防振支持装置の耐荷重性と制振性とは、弾性ゴム体のゴム硬度に大きく依存するが、耐荷重性を増すにはゴム硬度を大きくし、制振性を増すにはゴム硬度を小さくするというように、二律背反的な関係にあり、様々な荷重と振動条件の下で適性な耐荷重性と制振性とを持たせた弾性ゴム体を設計することは難しいという問題点があった。
本発明においては、上記の問題点に鑑み、耐荷重性と制振性とを適性に両立し得る設計自由度の大きな圧縮機の防振支持装置を提供することを目的とする。
【０００４】
【課題を解決するための手段】
本発明は、上記課題を解決するため、固定台上にスタッドボルトを固着し、同スタッドボルトに中空筒状の弾性ゴム体を装着し、同弾性ゴム体の上に圧縮機を載置し支持してなる圧縮機の防振支持装置において、
前記中空筒状の弾性ゴム体の内部に、空洞を形成し、同空洞より端面までスリットが形成された構成となっている。
【０００５】
また、前記中空筒状の弾性ゴム体を、円筒状とした構成となっている。
【０００６】
また、前記空洞を前記弾性ゴム体の全周に、連続した構成となっている。
【０００７】
また、前記空洞を前記弾性ゴム体の全周に、部分的に不連続に形成した構成となっている。
【０００８】
また、前記空洞の断面形状を、楕円形、円形、小判形等の隅に角がない形状とした構成となっている。
【０００９】
また、前記スリットが途中で、直角または鈍角に折れ曲がるようにした構成となっている。
【００１０】
また、前記スリットが形成された弾性ゴム体の端面のスリットの両側に凹部を形成し、前記固定台の上面または前記被支持物の下面に、前記凹部に嵌合する凸部を形成した構成となっている。
【００１１】
また、前記スリットが形成された弾性ゴム体の端面のスリットの両側に凸部を形成し、前記固定台の上面または前記被支持物の下面に、前記凸部に嵌合する凹部を形成した構成となっている。
【００１２】
また、前記凸部と凹部とが、前記弾性ゴム体の端面のスリットの両側の全周と、前記固定台の上面または前記被支持物の下面の全周とに形成された構成となっている。
【００１３】
更に、前記スリットを溶着した構成となっている。
【００１４】
【発明の実施の形態】
以上のような構成にて、耐荷重性と制振性とを適性に両立し得る設計自由度の大きな圧縮機の防振支持装置となる。
【００１５】
【実施例】
先ず、図１乃至図４にて示す、本発明の一実施例について説明する。
薄板鋼板等の板金製の固定台１に、スタッドボルト６が固定台１の上面に向けて三本固着され、同スタッドボルト６に中空円筒状の弾性ゴム体２が三個挿着され、同弾性ゴム体２の上に、圧縮機３の三箇所の取付部３ｂを、同取付部３ｂに形成した取付穴３ｃを前記スタッドボルト６に嵌挿して載置し、取付ナット７を前記スタッドボルト６に螺着し、前記圧縮機３の取付部３ｂを前記弾性ゴム体２と前記取付ナット７で挟み込み固定する。
前記弾性ゴム体２の下側端面２ａ近くの内部に角形の空洞２ｃを形成し、前記下側端面２ａより前記空洞２ｃにスリット２ｄが形成されている。
前記空洞２ｂにより前記弾性ゴム体２の耐荷重性をあまり低下させることなく振動吸収性を向上させることができる。
【００１６】
前記弾性ゴム体２の空洞２ｃは、図３にて示す金型構成にて形成される。
前記空洞２ｃを形成するブロック金型部４ａが薄い板状金型部４ｂにて、金型本体４に繋がっている。成形後、前記ブロック金型部４ａの部分は、ゴムの弾性を利用して無理抜きする。前記薄い板状金型部４ｂの跡が前記スリット２ｄとして前記弾性ゴム体２に残ることになる。
【００１７】
前記空洞の断面形状を楕円形とし、隅に角がない形状とした構成とすることにより、成形後、無理抜きし易くなるとともに、前記圧縮機３の荷重による応力が集中し難くなり、耐荷重性がより低下し難くなる。
【００１８】
前記スリット２ｄが途中で直角または鈍角に、２回折れ曲がるように構成されていることにより、前記空洞２ｃの密閉性を高め、振動吸収性を向上することができる。
なお、前記スリット２ｄは途中で鈍角になっている方が、直角の場合より、組み込むとき、確実に噛み合わせることができる。
【００１９】
前記スリット２ｄが形成された弾性ゴム体２の下側端面２ａのスリット２ｄの両側に凹部２ｅを形成し、前記固定台１の上面に、前記凹部２ｅに嵌合する凸部１ａを形成した構成とすることにより、前記圧縮機３の荷重により前記スリット２ｄが開き、耐荷重性が低下するのを防ぐとともに、前記空洞２ｃの密閉性が低下し、振動吸収性が低下することを防ぐことができる。
なお、前記凹部を前記固定台１の上面に形成し、前記凸部を前記下側端面２ａに設けても同様の効果が得られる。
【００２０】
前記中空筒状の弾性ゴム体２の平面形状を、円筒形状とすることにより、前記圧縮機３の前後左右の２次元平面的な振動成分に対し、方向特性の一様な圧縮機の防振支持装置となる。
また、図４にて示すように、前記空洞２ｃを、前記弾性ゴム体２の下側端面２ａ近くの内部に、全周に連続して形成し、前記スリット２ｄも全周に連続して形成されている。
前記空洞２ｃが全周に形成されることにより、前記圧縮機３の前後左右の２次元平面的な振動成分に対し、方向特性が一様で振動吸収性が向上した圧縮機の防振支持装置を得ることができる。
【００２１】
次に、図５にて示す、本発明の他の実施例について説明する。
前記実施例とは、前記空洞の構成が異なる。
前記空洞２ｃを、前記弾性ゴム体２の下側端面２ａ近くの内部に、全周に部分的に不連続に形成し、前記スリット２ｄも全周に部分的に不連続に形成されている。
前記スリット２ｄが部分的に繋がっていることにより、前記圧縮機３の荷重により前記スリット２ｄが開き、耐荷重性が低下するのを防ぐとともに、前記空洞２ｃの密閉性が低下し、振動吸収性が低下することを防ぐことができる。
【００２２】
次に、図６にて示す、本発明の他の実施例について説明する。
前記実施例とは、前記凹部と凸部との構成が異なる。
前記凹部２ｅが前記弾性ゴム体２の下側端面２ａのスリット２ｄの両側の全周に形成され、前記凸部１ａが前記固定台１の上面の全周に形成された構成とすることにより、全ての方向に対して、前記圧縮機３の荷重により前記スリット２ｄが開き、耐荷重性が低下するのを防ぐとともに、前記空洞２ｃの密閉性が低下し、振動吸収性が低下することを防ぐことができる。
【００２３】
前記スリット２ｄを、超音波溶着や熱溶着にて溶着し密閉することにより、前記空洞２ｃの密閉性が確実になり、振動吸収性を向上させることができる。
【００２４】
【発明の効果】
以上説明したように、本発明によれば、耐荷重性と制振性とを適性に両立し得る設計自由度の大きな圧縮機の防振支持装置となる。
【図面の簡単な説明】
【図１】本発明および従来例による圧縮機の防振支持装置の全体構成を示し、（Ａ）は平面図、（Ｂ）は側面図である。
【図２】本発明による圧縮機の防振支持装置の一実施例を示し、（Ａ）は側方から見た要部断面図で、（Ｂ）は上方から見た要部断面図である。
【図３】本発明による圧縮機の防振支持装置の空洞を形成する金型の構成を示す側方から見た要部断面図である。
【図４】本発明による圧縮機の防振支持装置の一実施例を示す上方から見た要部断面図である。
【図５】本発明による圧縮機の防振支持装置の他の実施例を示す上方から見た要部断面図である。
【図６】本発明による圧縮機の防振支持装置の他の実施例を示す下方から見た要部断面図である。
【図７】従来例による圧縮機の防振支持装置の側面から見た要部断面図である。
【符号の説明】
１  固定台
１ａ  凸部
２  弾性ゴム体
２ａ  下側端面
２ｂ  上側端面
２ｃ  空洞
２ｄ  スリット
２ｅ  凹部
３  圧縮機
６  スタッドボルト
【図１】
0003707202.tif 000002
【図２】
0003707202.tif 000003
【図３】
0003707202.tif 000004
【図４】
0003707202.tif 000005
【図５】
0003707202.tif 000006
【図６】
0003707202.tif 000007
【図７】
0003707202.tif 000008